(57)【特許請求の範囲】
【請求項１】
赤外線を用いた無線通信によってデータを受信する赤外線通信手段と、
データに応じた複数の処理をそれぞれ行う複数の処理手段と、
赤外線通信手段によってデータが受信されたとき、受信されたデータが送信先を表す送信先データを含まない場合、受信されたデータに応じた処理を行う処理手段を前記複数の処理手段の中から抽出し、抽出した処理手段によって、前記受信されたデータに対して処理を行なわせる制御手段とを含み、
前記複数の処理手段は、記憶手段およびデータを送信する送信手段を含み、
前記制御手段は、前記赤外線通信手段によって受信されたデータが送信先データおよび送信先データ以外のデータを含む場合、送信先データ以外のデータを送信先データが示す送信先に送信手段によって送信させ、前記赤外線通信手段によって受信されたデータが送信先データのみである場合、受信されたデータを記憶手段によって記憶させることを特徴とする通信装置。
【請求項２】
前記赤外線通信手段は、データが２つ以上ある場合は２つ以上のデータを予め定める時間内に連続して受信することを特徴とする請求項１に記載の通信装置。
【請求項３】
データに応じた処理をデータと対応付けた対応情報を入力する入力手段をさらに含み、
前記制御手段は、前記赤外線通信手段によってデータが受信される前に、入力手段によって入力される対応情報を記憶手段によって記憶させ、赤外線通信手段によってデータが受信されると、記憶手段によって記憶させた対応情報に基づいて、受信されたデータに応じた処理を行う処理手段を前記複数の処理手段の中から抽出し、抽出した処理手段によって、前記受信されたデータに対して処理を行なわせることを特徴とする請求項１に記載の通信装置。
【請求項４】
前記送信手段は、通信回線を介してデータをファクシミリ送信するファクシミリ送信手段であり、
前記制御手段は、前記赤外線通信手段によって複数のデータが受信され、受信された複
数のデータが、データをファクシミリ送信するための送信先を表すファクシミリ送信先データを含むと、ファクシミリ送信先データ以外のデータを、ファクシミリ送信先データが示す送信先に、ファクシミリ送信手段によってファクシミリ送信させることを特徴とする請求項１に記載の通信装置。
【請求項５】
前記送信手段は、ネットワークを介してデータを電子メールとして送信する電子メール送信手段であり、
前記制御手段は、前記赤外線通信手段によって複数のデータが受信され、受信された複数のデータが、電子メールの送信先を表す電子メール送信先データを含むと、電子メール送信先データ以外のデータを、電子メール送信先データが示す送信先が１つの場合はその送信先に、または電子メール送信先データが示す送信先が複数の場合はその複数の送信先に同時に、電子メール送信手段によって送信することを特徴とする請求項１に記載の通信装置。
【請求項６】
前記複数の処理手段は、印刷手段を含み、
前記制御手段は、前記赤外線通信手段によって受信されたデータが、データを送信するための送信先を表す送信先データを含まず、かつ静止画像を表す静止画像データを含むと、受信された静止画像データを、印刷手段によって印刷させることを特徴とする請求項１に記載の通信装置。
【請求項７】
前記複数の処理手段は、動画像を出力する動画像出力手段を含み、
前記制御手段は、前記赤外線通信手段によって受信されたデータが、データを送信するための送信先を表す送信先データを含まず、かつ動画像を表す動画像データを含むと、受信された動画像データを動画像出力手段によって出力させることを特徴とする請求項１に記載の通信装置。
【請求項８】
前記複数の処理手段は、音を出力する音出力手段を含み、
前記制御手段は、前記赤外線通信手段によって受信されたデータが、データを送信するための送信先を表す送信先データを含まず、かつ音を表す音データを含むと、受信された音データを音出力手段によって出力させることを特徴とする請求項１に記載の通信装置。
【請求項９】
表示手段と、
入力手段とをさらに含み、
前記制御手段は、前記赤外線通信手段によって受信されたデータが、データを送信するための送信先を表す送信先データを含まないと、受信されたデータに対する処理を選択させるための選択肢を表す処理選択肢情報を表示手段によって表示させ、表示手段によって表示された処理選択肢情報に応答して、その処理選択肢情報が示す選択肢の中から選択された処理を表す選択処理情報が入力手段によって入力されると、入力された選択処理情報が示す処理を行なう処理手段を前記複数の処理手段の中から抽出し、抽出した処理手段によって前記受信されたデータを処理させることを特徴とする請求項１に記載の通信装置。
【請求項１０】
前記赤外線による無線通信は、ＩｒＤＡ（Infrared Data Association）通信であり、
前記赤外線通信手段は、ＩｒＤＡ通信によって、携帯端末からデータを受信することを特徴とする請求項１に記載の通信装置。
【請求項１１】
前記受信されたデータは、データの送信先を表す送信先データ、静止画像データ、動画像データ、音データ、およびテキストデータのうちの少なくとも１つを含むことを特徴とする請求項１に記載の通信装置。
【請求項１２】
コンピュータを請求項１に記載の通信装置の各手段として機能させるためのプログラム
。
【請求項１３】
請求項１２に記載のプログラムを記録したコンピュータ読取り可能な記録媒体。
【発明の詳細な説明】
【技術分野】
【０００１】
本発明は、データを受信し、受信したデータに対して処理を行う通信装置、プログラムおよび記憶媒体に関する。
【背景技術】
【０００２】
昨今の携帯電話などの携帯端末は、ＩｒＤＡ（Infrared Data Association）通信機能を有しており、携帯電話付属のカメラで撮影した画像あるいは電話帳データなどを送受信することができるようになっている。さらに、通信装置たとえば画像処理通信装置の中には、ＩｒＤＡ通信機能を有し、電話回線あるいはＬＡＮに接続可能であり、さらに印刷機能も備える画像処理通信装置が存在する。この画像処理通信装置は、携帯端末からＩｒＤＡ通信にて画像を受信して印刷することができ、さらにはその画像をファクシミリ送信することができる。
【０００３】
従来の技術として、携帯端末から受信した画像データをファクシミリなどにて送信する通信装置がある。この通信装置は、ＩｒＤＡインタフェースを介して携帯端末から画像データを受信し、受信した画像データをファクシミリフォーマットに変換して、必要な情報を付加してファクシミリ画像データを生成する。さらに、生成したファクシミリ画像データを、携帯端末によって指定された送信宛先に送信する（たとえば特許文献１参照）。
【０００４】
【特許文献１】特開２００５−２７７７９４号公報
【発明の開示】
【発明が解決しようとする課題】
【０００５】
上述した画像処理通信装置で携帯端末から画像を受信して利用する場合、ユーザは、携帯端末から画像を送信する際、画像処理通信装置側でその画像をどのように処理させるかを指示するための選択操作を行う必要がある。さらに複数のデータを送信する場合には、そのデータ毎に選択操作を行う必要がある。
【０００６】
たとえば、携帯端末から受信したデータを携帯端末によって指定された宛先に送信するためには、まず画像処理通信装置側で、画像送信を行うための機能を起動する操作を行い、送信先を指定するための準備の操作を行い、その状態で携帯端末から送信先データを送る。次に画像処理通信装置側で、画像を指定するための準備の操作を行い、その状態で携帯端末から画像を送る必要がある。このように、携帯端末からの画像を画像処理通信装置から送信するためには、携帯端末と画像処理通信装置とを交互に操作しなければならないという問題がある。さらに複数の画像を異なる送信先に送信するためには、それらの操作を何回も繰り返し行なわなければならない。
【０００７】
従来の技術も、画像をファクシミリ送信するための送信先を携帯端末から指示する必要があるという問題がある。
【０００８】
本発明の目的は、携帯端末から受信したデータに対して行うべき処理を指示しなくても、受信したデータに応じた処理を行うことができる通信装置、プログラムおよび記憶媒体を提供することである。
【課題を解決するための手段】
【０００９】
本発明は、赤外線を用いた無線通信によってデータを受信する赤外線通信手段と、
データに応じた複数の処理をそれぞれ行う複数の処理手段と、
赤外線通信手段によってデータが受信されたとき、受信されたデータが送信先を表す送信先データを含まない場合、受信されたデータに応じた処理を行う処理手段を前記複数の処理手段の中から抽出し、抽出した処理手段によって、前記受信されたデータに対して処理を行なわせる制御手段とを含み、
前記複数の処理手段は、記憶手段およびデータを送信する送信手段を含み、
前記制御手段は、前記赤外線通信手段によって受信されたデータが送信先データおよび送信先データ以外のデータを含む場合、送信先データ以外のデータを送信先データが示す送信先に送信手段によって送信させ、前記赤外線通信手段によって受信されたデータが送信先データのみである場合、受信されたデータを記憶手段によって記憶させることを特徴とする通信装置である。
【００１０】
本発明に従えば、赤外線通信手段によって、赤外線を用いた無線通信によってデータが受信され、複数の処理手段によって、データに応じた複数の処理がそれぞれ行なわれ、制御手段によって、赤外線通信手段によってデータが受信されたとき、受信されたデータが送信先を表す送信先データを含まない場合、受信されたデータに応じた処理を行う処理手段が前記複数の処理手段の中から抽出され、抽出された処理手段によって、前記受信されたデータに対して処理が行なわれるので、たとえば携帯端末から受信したデータに対して行うべき処理を指示しなくても、受信したデータに応じた処理を行うことができる。
また、送信手段によって、通信回線を介してデータが送信され、制御手段によって、赤外線通信手段によって受信されたデータが送信先データおよび送信先データ以外のデータを含む場合、送信先データ以外のデータが送信先に送信手段によって送信されるので、送信したいデータを、送信先データとともに送信するだけで、その送信先データが示す送信先にデータを送信することができる。
また、制御手段によって、赤外線通信手段によって受信されたデータが、データを送信するための送信先を表す送信先データのみである場合、受信されたデータが記憶手段によって記憶されるので、送信先データのみを送信すれば、その送信先データを通信装置に記憶させることができる。
【００１１】
また本発明は、前記赤外線通信手段は、データが２つ以上ある場合は２つ以上のデータを予め定める時間内に連続して受信することを特徴とする。
【００１２】
本発明に従えば、赤外線通信手段によって、データが２つ以上ある場合は２つ以上のデータが予め定める時間内に連続して受信されるので、たとえば複数のデータとそれらの送信先を表す送信先データとを、まとめて受信することができる。
【００１３】
また本発明は、データに応じた処理をデータと対応付けた対応情報を入力する入力手段をさらに含み、
前記制御手段は、前記赤外線通信手段によってデータが受信される前に、入力手段によって入力される対応情報を記憶手段によって記憶させ、赤外線通信手段によってデータが受信されると、記憶手段によって記憶させた対応情報に基づいて、受信されたデータに応じた処理を行う処理手段を前記複数の処理手段の中から抽出し、抽出した処理手段によって、前記受信されたデータに対して処理を行なわせることを特徴とする。
【００１４】
本発明に従えば、入力手段によって、データに応じた処理をデータと対応付けた対応情報が入力され、制御手段によって、赤外線通信手段によってデータが受信される前に、入力手段によって入力される対応情報が記憶手段によって記憶され、赤外線通信手段によってデータが受信されると、記憶手段によって記憶させた対応情報に基づいて、受信されたデータに応じた処理を行う処理手段が前記複数の処理手段の中から抽出され、抽出された処理手段によって、前記受信されたデータに対して処理が行なわれるので、ユーザは、データの種類とデータに対して行う処理とを対応付ける対応情報を予め記憶手段に設定することができる。
【００１５】
また本発明は、前記送信手段は、通信回線を介してデータをファクシミリ送信するファクシミリ送信手段であり、
前記制御手段は、前記赤外線通信手段によって複数のデータが受信され、受信された複数のデータが、データをファクシミリ送信するための送信先を表すファクシミリ送信先データを含むと、ファクシミリ送信先データ以外のデータを、ファクシミリ送信先データが示す送信先に、ファクシミリ送信手段によってファクシミリ送信させることを特徴とする。
【００１６】
本発明に従えば、ファクシミリ送信手段である送信手段によって、通信回線を介してデータがファクシミリ送信され、制御手段によって、赤外線通信手段によって複数のデータが受信され、受信された複数のデータが、データをファクシミリ送信するための送信先を表すファクシミリ送信先データを含むと、ファクシミリ送信先データ以外のデータが、ファクシミリ送信先データが示す送信先に、ファクシミリ送信手段によってファクシミリ送信されるので、ファクシミリ送信したいデータを、送信先を表すデータとともに送信するだけで、その送信先を表すデータが示すすべての送信先にデータをファクシミリ送信することができる。
【００１７】
また本発明は、前記送信手段は、ネットワークを介してデータを電子メールとして送信する電子メール送信手段であり、
前記制御手段は、前記赤外線通信手段によって複数のデータが受信され、受信された複数のデータが、電子メールの送信先を表す電子メール送信先データを含むと、電子メール送信先データ以外のデータを、電子メール送信先データが示す送信先が１つの場合はその送信先に、または電子メール送信先データが示す送信先が複数の場合はその複数の送信先に同時に、電子メール送信手段によって送信することを特徴とする。
【００１８】
本発明に従えば、電子メール送信手段である送信手段によって、ネットワークを介してデータが電子メールとして送信され、制御手段によって、赤外線通信手段によって複数のデータが受信され、受信された複数のデータが、電子メールの送信先を表す電子メール送信先データを含むと、電子メール送信先データ以外のデータが、電子メール送信先データが示す送信先が１つの場合はその送信先に、または電子メール送信先データが示す送信先が複数の場合はその複数の送信先に同時に、電子メール送信手段によって送信するので、電子メール送信したいデータを、送信先を表すデータとともに送信するだけで、その送信先を表すデータが示すすべての送信先にデータを電子メールで同時に送信することができる。
【００２１】
また本発明は、前記複数の処理手段は、印刷手段を含み、
前記制御手段は、前記赤外線通信手段によって受信されたデータが、データを送信するための送信先を表す送信先データを含まず、かつ静止画像を表す静止画像データを含むと、受信された静止画像データを、印刷手段によって印刷させることを特徴とする。
【００２２】
本発明に従えば、制御手段によって、赤外線通信手段によって受信されたデータが、データを送信するための送信先を表す送信先データを含まず、かつ静止画像を表す静止画像データを含むと、受信された静止画像データが、印刷手段によって印刷されるので、静止画像データを送信する際に、送信先データを送信しないようにすれば、静止画像データを印刷することができる。
【００２３】
また本発明は、前記複数の処理手段は、動画像を出力する動画像出力手段を含み、
前記制御手段は、前記赤外線通信手段によって受信されたデータが、データを送信するための送信先を表す送信先データを含まず、かつ動画像を表す動画像データを含むと、受信された動画像データを動画像出力手段によって出力させることを特徴とする。
【００２４】
本発明に従えば、動画像出力手段によって、動画像が出力され、制御手段によって、赤外線通信手段によって受信されたデータが、データを送信するための送信先を表す送信先データを含まず、かつ動画像を表す動画像データを含むと、受信された動画像データが動画像出力手段によって出力されるので、動画像データを送信する際に、送信先データを送信しないようにすれば、動画像データを動画像出力つまり再生することができる。
【００２５】
また本発明は、前記複数の処理手段は、音を出力する音出力手段を含み、
前記制御手段は、前記赤外線通信手段によって受信されたデータが、データを送信するための送信先を表す送信先データを含まず、かつ音を表す音データを含むと、受信された音データを音出力手段によって出力させることを特徴とする。
【００２６】
本発明に従えば、音出力手段によって、音が出力され、制御手段によって、赤外線通信手段によって受信されたデータが、データを送信するための送信先を表す送信先データを含まず、かつ音を表す音データを含むと、受信された音データが音出力手段によって出力されるので、音データを送信する際に、送信先データを送信しないようにすれば、音データを音出力つまり再生することができる。
【００２７】
また本発明は、表示手段と、
入力手段とをさらに含み、
前記制御手段は、前記赤外線通信手段によって受信されたデータが、データを送信するための送信先を表す送信先データを含まないと、受信されたデータに対する処理を選択させるための選択肢を表す処理選択肢情報を表示手段によって表示させ、表示手段によって表示された処理選択肢情報に応答して、その処理選択肢情報が示す選択肢の中から選択された処理を表す選択処理情報が入力手段によって入力されると、入力された選択処理情報が示す処理を行なう処理手段を前記複数の処理手段の中から抽出し、抽出した処理手段によって前記受信されたデータを処理させることを特徴とする。
【００２８】
本発明に従えば、制御手段によって、赤外線通信手段によって受信されたデータが、データを送信するための送信先を表す送信先データを含まないと、受信されたデータに対する処理を選択させるための選択肢を表す処理選択肢情報が表示手段によって表示され、表示手段によって表示された処理選択肢情報に応答して、その処理選択肢情報が示す選択肢の中から選択された処理を表す選択処理情報が入力手段によって入力されると、入力された選択処理情報が示す処理を行なう処理手段が前記複数の処理手段の中から抽出され、抽出された処理手段によって前記受信されたデータを処理されるので、送信先が指示されないデータに対して、ユーザによって選択された処理を行う。
【００２９】
また本発明は、前記赤外線による無線通信は、ＩｒＤＡ（Infrared Data Association
）通信であり、
前記赤外線通信手段は、ＩｒＤＡ通信によって、携帯端末からデータを受信することを特徴とする。
【００３０】
本発明に従えば、ＩｒＤＡ通信によって、携帯端末からデータを受信することができるので、ユーザは、携帯端末のデータをＩｒＤＡ通信で送信して通信装置で処理することができる。
【００３１】
また本発明は、前記受信されたデータは、データの送信先を表す送信先データ、静止画像データ、動画像データ、音データ、およびテキストデータのうちの少なくとも１つを含むことを特徴とする。
【００３２】
本発明に従えば、受信されたデータは、データの送信先を表す送信先データ、静止画像データ、動画像データ、音データ、およびテキストデータのうちの少なくとも１つを含むので、汎用性のあるデータであれば、通信装置で処理することができる。
【００３３】
また本発明は、コンピュータを前記通信装置の各手段として機能させるためのプログラムである。
【００３４】
本発明に従えば、コンピュータを通信装置の各手段として機能させるためのプログラムとして提供することができる。
【００３５】
また本発明は、前記プログラムを記録したコンピュータ読取り可能な記録媒体である。
本発明に従えば、コンピュータを通信装置の各手段として機能させるためのプログラムを記録したコンピュータ読み取り可能な記録媒体として提供することができる。
【発明の効果】
【００３６】
本発明によれば、たとえば携帯端末から受信したデータに対して行うべき処理を指示しなくても、受信したデータに応じた処理を行うことができるので、ユーザの操作を簡素化することができる。
また、送信したいデータを、送信先を表すデータとともに送信するだけで、その送信先を表すデータが示す送信先にデータを送信することができるので、ユーザは、携帯端末の電話帳のデータを送信したいデータとともに送信すればよく、携帯端末での操作を簡素化することができる。
また、送信先データのみを送信すれば、その送信先データを通信装置に記憶させることができるので、携帯端末が保持している電話帳データを、通信装置で利用することができる。
【００３７】
また本発明によれば、複数のデータとそれらの送信先を表す送信先データとを、まとめて受信することができるので、たとえば携帯端末からデータを送信する際、データ１件ごとに送信先データを送信する必要がなく、ユーザの操作を簡素化することができる。
【００３８】
また本発明によれば、ユーザは、データの種類とデータに対して行う処理とを対応付ける対応情報を予め記憶手段に設定することができるので、ユーザは、データの種類とデータに対して行う処理とを自由に対応付けることができる。
【００３９】
また本発明によれば、ファクシミリ送信したいデータを、送信先を表すデータとともに送信するだけで、その送信先を表すデータが示すすべての送信先にデータをファクシミリ送信することができるので、ユーザは、携帯端末の電話帳のデータをファクシミリ送信したいデータとともに送信すればよく、携帯端末での操作を簡素化することができる。
【００４０】
また本発明によれば、電子メール送信したいデータを、送信先を表すデータとともに送信するだけで、その送信先を表すデータが示すすべての送信先にデータを電子メールで同時に送信することができるので、ユーザは、携帯端末の電子メールアドレスを含む電話帳のデータをファクシミリ送信したいデータとともに送信すればよく、携帯端末での操作を簡素化することができる。
【００４２】
また本発明によれば、静止画像データを送信する際に、送信先データを送信しないようにすれば、静止画像データを印刷することができるので、ユーザは、静止画像データを送信するだけで、他の操作を行うことなく、静止画像を印刷することができる。
【００４３】
また本発明によれば、動画像データを送信する際に、送信先データを送信しないようにすれば、動画像データを動画像出力つまり再生することができるので、ユーザは、動画像データを送信するだけで、他の操作を行うことなく、動画像を再生することができる。
【００４４】
また本発明によれば、音データを送信する際に、送信先データを送信しないようにすれば、音データを音出力つまり再生することができるので、ユーザは、音データを送信するだけで、他の操作を行うことなく、音を再生することができる。
【００４５】
また本発明によれば、送信先が指示されないデータに対して、ユーザによって選択された処理を行うので、ユーザは、送信先を指示しないことによって、通信装置側で処理を選択することができる。
【００４６】
また本発明によれば、ユーザは、携帯端末のデータをＩｒＤＡ通信で送信して通信装置で処理することができるので、ユーザは、携帯端末から遠隔でデータを送るだけで、データに適した処理が行われる。
【００４７】
また本発明によれば、汎用性のあるデータであれば、通信装置で処理することができるので、携帯端末で扱えるデータを通信装置で処理することができる。
【００４８】
また本発明によれば、コンピュータを通信装置の各手段として機能させるためのプログラムとして提供することができる。
【００４９】
また本発明によれば、コンピュータを通信装置の各手段として機能させるためのプログラムを記録したコンピュータ読み取り可能な記録媒体として提供することができる。
【発明を実施するための最良の形態】
【００５０】
図１は、本発明の実施の一形態である画像処理通信装置１の構成を示すブロック図である。通信装置である画像処理通信装置１は、たとえばファクシミリ機能、印刷機能、スキャナ機能、および電子メール機能を含むＭＦＰ（Multi Function Peripheral）であり、制御部１０、ＲＡＭ（Random Access Memory）１１、Ｉｒ（Infrared）通信部１２、ファクシミリ通信部１３、メール送受信部１４、操作部１５、表示部１６、プリンタ１７、スピーカ１８、およびフラッシュメモリ１９を含む。
【００５１】
制御部１０は、たとえばＣＰＵ（Central Processing Unit）などの中央処理装置によって構成され、フラッシュメモリ１９に記憶されるプログラムを実行することによって、Ｉｒ通信部１２、ファクシミリ通信部１３、メール送受信部１４、操作部１５、表示部１６、プリンタ１７、およびスピーカ１８などを制御する。ＲＡＭ１１は、たとえば半導体メモリで構成され、Ｉｒ通信部１２、ファクシミリ通信部１３、およびメール送受信部１４で送受信するデータ、および制御部１０が処理を行うために必要なデータなどのデータを記憶する。
【００５２】
Ｉｒ通信部１２は、赤外線通信たとえばＩｒＤＡ（Infrared Data Association）通信によって、携帯電話などの携帯端末とデータを送受信する。ＩｒＤＡ通信は、たとえば業界標準化団体であるＩｒＤＡ（Infrared Data Association）によって国際標準規格として採用された通信規格であり、ＩｒＤＡ方式およびＩｒＳｉｍｐｌｅ方式による通信を含む。Ｉｒ通信部１２は、携帯端末からデータを１件ごとに受信し、受信したデータをＲＡＭ１１に記憶し、データを受信した旨を制御部１０に知らせる。携帯端末から続けて複数の件数のデータを送信してくる場合は、それらのデータを連続して受信し、受信したデータをＲＡＭ１１に記憶する。ファクシミリ通信部１３は、たとえばＦＡＸ（Facsimile）モデムによって構成され、通信回線に接続され、データをファクシミリ送信し、あるいはファクシミリ受信する。メール送受信部１４は、ネットワークたとえばＬＡＮ（Local 
Area Network）に接続され、電子メールを送受信する。
【００５３】
操作部１５は、たとえば文字あるいは数字などを入力するためのキーを含む操作パネルによって構成される入力装置であり、入力された情報は、制御部１０に送られる。表示部１６は、たとえば液晶ディスプレイによって構成される表示装置であり、制御部１０から指示された情報を表示する。制御部１０から指示された情報が、たとえば動画像データであれば、動画像が表示部１６に表示される。プリンタ１７は、たとえば記録紙に印刷する印刷装置によって構成され、制御部１０から受け取ったデータを記録紙に印刷する。スピーカ１８は、たとえばスピーカなどの音出力装置によって構成され、制御部１０から受け取る音データに基づいて音を出力する。フラッシュメモリ１９は、たとえば不揮発性のメモリであり、制御部１０で実行されるプログラム、および画像処理通信装置１の電源が切断されても保持しておきたいデータを記憶する。
【００５４】
図２は、図１に示した画像処理通信装置１のデータ受信および受信したデータに対する処理を示すフローチャートである。このフローチャートは、画像処理通信装置１の制御部１０によって実行される。Ｉｒ通信部１２が、携帯電話などの携帯端末からデータの送信要求を受け取ると、ステップＡ１に移る。
【００５５】
ステップＡ１では、Ｉｒデータ受信モードにする。すなわち、Ｉｒ通信部１２によってデータを受信するモードにする。ステップＡ２では、Ｉｒデータ１件を受信する。すなわち、Ｉｒ通信部１２から１件のデータを受け取り、ＲＡＭ１１に書き込む。ステップＡ３では、Ｉｒ受信モードが完了したか否かを判定する。ユーザによって操作部１５からＩｒデータ受信モードの終了を知らされると、Ｉｒ受信モードつまりＩｒデータ受信モードが完了したと判定する。あるいは、Ｉｒデータ受信モードでデータを受信する時間を予め定めておいて、その時間が経過したとき、Ｉｒ受信モードが完了したと判定してもよい。Ｉｒ受信モードが完了すると、ステップＡ４に進み、Ｉｒ受信モードが完了していないと、次のデータを受信するために、ステップＡ２に戻る。
【００５６】
ステップＡ４では、受信したデータの中に電話帳データがあるか否かを判定する。すなわち、受信したデータの種類を判別し、受信したデータの中に電話帳データがあると、ステップＡ５に進み、受信したデータの中に電話帳データがないと、ステップＡ８に進む。ステップＡ５では、受信したデータは電話帳データのみであるか否かを判定する。受信したデータが電話帳データのみであると、ステップＡ７に進み、受信したデータが電話帳データのみでないと、ステップＡ６に進む。
【００５７】
ステップＡ６では、電話帳データの送信先に送信して終了する。すなわち、電話帳データに含まれるすべての送信先に、ステップＡ２で受信したデータのうち、電話帳データ以外のデータを送信して終了する。たとえば電話帳データに、ファクシミリの送信先つまり電話番号が含まれている場合、ファクシミリ通信部１３によって、電話帳データに含まれるすべてのファクシミリの電話番号に送信して終了する。この場合、すべてのファクシミリの電話番号ではなく、その中から選択された電話番号に送信させたい場合は、電話帳データに含まれるすべてのファクシミリの電話番号を、表示部１６に表示し、操作部１５によって選択させ、選択された電話番号に送信するようにしてもよい。さらに、電話帳データに、電子メールの送信先つまり電子メールアドレスが含まれている場合、メール送受信部１４によって、電話帳データに含まれるすべての電子メールアドレスに同報送信つまり同時に送信して終了する。
【００５８】
ステップＡ７では、電話帳データを保存する。すなわち、受信したデータは電話帳データのみであり、ＲＡＭ１１に記憶された電話帳データを読み出して、フラッシュメモリ１１に書き込み、保存して終了する。
【００５９】
ステップＡ８では、処理の選択表示を行う。すなわち、受信したデータに対して行う処理の選択肢を、表示部１６に表示させる。表示部１６に表示させる選択肢は、たとえば、ファクシミリ通信部１３によるファクシミリ送信、メール送受信部１４による電子メール送信、およびフラッシュメモリ１９への記憶である。さらに、受信したデータが動画像データであれば、表示部１６への表示、受信したデータが静止画像データであれば、プリンタ１７での出力、受信したデータが音データであれば、スピーカ１８での出力も選択肢としてもよい。ステップＡ９では、表示部１６に表示させた選択肢の中から、操作部１５によって選択された処理を、受信したデータに対して行い終了する。
【００６０】
上述した実施の形態では、受信したデータの中に電話帳データがないと、そのデータに対して行う処理を、ユーザに選択させたが、受信したデータに応じて、たとえば受信したデータの種類によって処理を決めてもよい。受信したデータは、たとえばデータの送信先を表す送信先データつまり電話帳データと、静止画像を表す静止画像データと、動画像を表す動画像データと、音声およびメロディーを含む音楽などの音を表す音データと、電話帳データを除く文書、Ｖカレンダーなどのスケジュール、あるいはＴＯＤＯリストなどのテキストデータとを含む。データの種類は、ファイルの拡張子、およびインターネットメールなどで用いられるＶカードもしくはＶノートなどの形式によって判断することができる。
【００６１】
データの種類とデータに対して行うべき処理とは、データの種類とデータに対して行うべき処理とを対応付けた対応情報として、フラッシュメモリ１９に記憶しておく。対応情報は、電話帳データが含まれるか否かによって、大きく２つに分けられる。まず、受信したデータに電話帳データが含まれない場合、動画像データと表示部１６による表示とを対応付け、静止画像データとプリンタ１７による出力とを対応付け、さらに音データとスピーカ１８による出力とを対応付ける。
【００６２】
次に、電話帳データが含まれる場合、たとえば受信データが電話帳データのみであれば、電話帳データとフラッシュメモリ１９による記憶とを対応付け、受信データが電話帳データ以外のデータを含めば、電話帳データおよび電話帳データ以外のデータとファクシミリ通信部１３および／またはメール送受信部１４による送信とを対応付ける。この場合、つまり受信データに電話帳データと電話帳データ以外のデータとが含まれる場合、電話帳データにファクシミリの送信先のみが含まれていれば、ファクシミリ通信部１３による送信を対応付け、電話帳データに電子メールアドレスのみが含まれていれば、メール送受信部１４による送信を対応付け、電話帳データにファクシミリの送信先と電子メールアドレスとが含まれていれば、ファクシミリ通信部１３およびメール送受信部１４による送信を対応付ける。
【００６３】
制御部１０は、データの種類を判別した後、判別したデータの種類に応じた処理を、フラッシュメモリ１９に記憶された対応情報に基づいて抽出し、抽出した処理をＩｒ通信部１２によって受信されたデータに対して行う。たとえば、受信データに電話帳データが含まれない場合、データの種類が動画像データであれば、動画像を表示部１６によって表示させ、データの種類が静止画像データであれば、プリンタ１７によって出力させ、データの種類が音データであれば、スピーカ１８によって出力させる。
【００６４】
上述した実施の形態では、通信装置として、画像処理通信装置１たとえばＭＦＰを例に説明したが、通信装置は、画像処理通信装置に限定されるものではなく、赤外線通信によってデータを受信することができ、さらに受信したデータを、映像として表示し、音として出力し、印刷し、メモリに保存し、あるいは電子メールとして送信することなどが可能な装置であればよい。
【００６５】
このように、赤外線通信手段であるＩｒ通信部１２によって、赤外線を用いた無線通信によってデータが受信され、複数の処理手段によって、データに応じた複数の処理のそれぞれの処理が行なわれ、制御手段である制御部１０によって、赤外線通信手段によってデータが受信されると、受信されたデータの種類に応じた処理を行う処理手段が前記複数の処理手段の中から抽出され、抽出された処理手段によって、前記受信されたデータに対して処理が行なわれるので、たとえば携帯端末から受信したデータに対して行うべき処理を指示しなくても、受信したデータに応じた処理を行うことができる。したがって、ユーザの操作を簡素化することができる。
【００６６】
複数の処理手段は、たとえばファクシミリ送信手段であるファクシミリ通信部１３、電子メール送信手段であるメール送受信部１４、記憶手段であるフラッシュメモリ１９、動画像出力手段である表示部１６、印刷手段であるプリンタ１７、および音出力手段であるスピーカ１８である。
【００６７】
さらに、赤外線通信手段であるＩｒ通信部１２によって、データが２つ以上ある場合は２つ以上のデータが予め定める時間内に連続して受信されるので、たとえば複数のデータとそれらの送信先を表す送信先データとを、まとめて受信することができる。したがって、たとえば携帯端末からデータを送信する際、データ１件ごとに送信先データを送信する必要がなく、ユーザの操作を簡素化することができる。
【００６８】
さらにまた、入力手段である操作部１５によって、データに応じた処理をデータと対応付けた対応情報が入力され、制御手段である制御部１０によって、赤外線通信手段であるＩｒ通信部１２によってデータが受信される前に、入力手段によって入力される対応情報が記憶手段たとえばフラッシュメモリ１９によって記憶され、赤外線通信手段によってデータが受信されると、記憶手段によって記憶させた対応情報に基づいて、受信されたデータの種類に応じた処理を行う処理手段が前記複数の処理手段の中から抽出され、抽出された処理手段によって、前記受信されたデータに対して処理が行なわれるので、ユーザは、データの種類とデータに対して行う処理とを対応付ける対応情報を予め記憶手段に設定することができる。したがって、ユーザは、データの種類とデータに対して行う処理とを自由に対応付けることができる。
【００６９】
さらに、ファクシミリ送信手段であるファクシミリ通信部１３によって、通信回線を介してデータがファクシミリ送信され、制御手段である制御部１０によって、赤外線通信手段であるＩｒ通信部１２によって複数のデータが受信され、受信された複数のデータが、データをファクシミリ送信するための送信先を表すファクシミリ送信先データを含むと、ファクシミリ送信先データ以外のデータが、ファクシミリ送信先データが示す送信先に、ファクシミリ送信手段によってファクシミリ送信されるので、ファクシミリ送信したいデータを、送信先を表すデータとともに送信するだけで、その送信先を表すデータが示すすべての送信先にデータをファクシミリ送信することができる。したがって、ユーザは、携帯端末の電話帳のデータをファクシミリ送信したいデータとともに送信すればよく、携帯端末での操作を簡素化することができる。
【００７０】
さらにまた、電子メール送信手段であるメール送受信部１４によって、ネットワークを介してデータが電子メールとして送信され、制御手段である制御部１０によって、赤外線通信手段であるＩｒ通信部１２によって複数のデータが受信され、受信された複数のデータが、電子メールの送信先を表す電子メール送信先データを含むと、電子メール送信先データ以外のデータが、電子メール送信先データが示す送信先が１つの場合はその送信先に、または電子メール送信先データが示す送信先が複数の場合はその複数の送信先に同時に、電子メール送信手段によって送信するので、電子メール送信したいデータを、送信先を表すデータとともに送信するだけで、その送信先を表すデータが示すすべての送信先にデータを電子メールで同時に送信することができる。したがって、ユーザは、携帯端末の電子メールアドレスを含む電話帳のデータをファクシミリ送信したいデータとともに送信すればよく、携帯端末での操作を簡素化することができる。
【００７１】
さらに、制御手段である制御部１０によって、赤外線通信手段によって受信されたデータが、データを送信するための送信先を表す送信先データのみであると、受信されたデータが記憶手段たとえばフラッシュメモリ１９によって記憶されるので、送信先データのみを送信すれば、その送信先データを通信装置に記憶させることができる。したがって、携帯端末が保持している電話帳データを、通信装置で利用することができる。
【００７２】
さらにまた、制御手段である制御部１０によって、赤外線通信手段であるＩｒ通信部１２によって受信されたデータが、データを送信するための送信先を表す送信先データを含まず、かつ静止画像を表す静止画像データを含むと、受信された静止画像データが、印刷手段であるプリンタ１７によって印刷されるので、静止画像データを送信する際に、送信先データを送信しないようにすれば、静止画像データを印刷することができる。したがって、ユーザは、静止画像データを送信するだけで、他の操作を行うことなく、静止画像を印刷することができる。
【００７３】
さらに、動画像出力手段である表示部１６によって、動画像が出力され、制御手段である制御部１０によって、赤外線通信手段であるＩｒ通信部１２によって受信されたデータが、データを送信するための送信先を表す送信先データを含まず、かつ動画像を表す動画像データを含むと、受信された動画像データが動画像出力手段によって出力されるので、動画像データを送信する際に、送信先データを送信しないようにすれば、動画像データを動画像出力つまり再生することができる。したがって、ユーザは、動画像データを送信するだけで、他の操作を行うことなく、動画像を再生することができる。
【００７４】
さらにまた、音出力手段であるスピーカ１８によって、音が出力され、制御手段である制御部１０によって、赤外線通信手段であるＩｒ通信部１２によって受信されたデータが、データを送信するための送信先を表す送信先データを含まず、かつ音を表す音データを含むと、受信された音データが音出力手段によって出力されるので、音データを送信する際に、送信先データを送信しないようにすれば、音データを音出力つまり再生することができる。したがって、ユーザは、音データを送信するだけで、他の操作を行うことなく、音を再生することができる。
【００７５】
さらに、制御手段である制御部１０によって、赤外線通信手段であるＩｒ通信部１２によって受信されたデータが、データを送信するための送信先を表す送信先データを含まないと、受信されたデータに対する処理を選択させるための選択肢を表す処理選択肢情報が表示手段である表示部１６によって表示され、表示手段によって表示された処理選択肢情報に応答して、その処理選択肢情報が示す選択肢の中から選択された処理を表す選択処理情報が入力手段である操作部１５によって入力されると、入力された選択処理情報が示す処理を行なう処理手段が前記複数の処理手段の中から抽出され、抽出された処理手段によって前記受信されたデータが処理されるので、送信先が指示されないデータに対して、ユーザによって選択された処理を行う。したがって、ユーザは、送信先を指示しないことによって、通信装置側で処理を選択することができる。
【００７６】
さらにまた、ＩｒＤＡ通信によって、携帯端末からデータを受信することができるので、ユーザは、携帯端末のデータをＩｒＤＡ通信で送信して通信装置で処理することができる。したがって、ユーザは、携帯端末から遠隔でデータを送るだけで、データに適した処理が行われる。
【００７７】
さらに、受信されたデータは、データの送信先を表す送信先データ、静止画像データ、動画像データ、音データ、およびテキストデータのうちの少なくとも１つを含むので、汎用性のあるデータであれば、通信装置で処理することができる。したがって、携帯端末で扱えるデータを通信装置で処理することができる。
【００７８】
図１に示した画像処理通信装置１の機能は、フラッシュメモリ１９に記憶されたプログラムを実行することによって実現される。すなわち、フラッシュメモリ１９に記憶されるプログラムは、コンピュータを通信装置である画像処理通信装置１の各手段として機能させることができる。
【００７９】
さらに、画像処理通信装置１で実行されるプログラムは、読み取り可能な記録媒体たとえばＣＤＲＯＭ（Compact Disk Read Only Memory）などに記録されたプログラムであってもよく、記録媒体を読み取るための装置によって、記録媒体に記録されたプログラムを読み取って、画像処理通信装置１のＲＡＭ１１に記憶させて実行させることができる。したがって、コンピュータを画像処理通信装置１の各手段として機能させるためのプログラムを記録したコンピュータ読み取り可能な記録媒体として提供することができる。
【図面の簡単な説明】
【００８０】
【図１】本発明の実施の一形態である画像処理通信装置１の構成を示すブロック図である。
【図２】図１に示した画像処理通信装置１のデータ受信および受信したデータに対する処理を示すフローチャートである。
【符号の説明】
【００８１】
１  画像処理通信装置
１０  制御部
１１  ＲＡＭ
１２  Ｉｒ通信部
１３  ファクシミリ通信部
１４  メール送受信部
１５  操作部
１６  表示部
１７  プリンタ
１８  スピーカ
１９  フラッシュメモリ
【図１】
0004781905.tif 000002
【図２】
0004781905.tif 000003